(57)【要約】【課題】利用者がカラオケ演奏を行う様子を携帯型端末装置で撮影した撮像データの利便性を向上させるカラオケシステムを提供する。【解決手段】携帯電話機３０のデジタルカメラ１４４による撮像データの撮影時点において、カラオケ装置１６により演奏出力が行われていた楽曲を特定する楽曲特定手段１６４と、携帯電話機３０のデジタルカメラ１４４により撮影された撮像データを、楽曲特定手段１６４により特定された楽曲と対応付けてサーバ装置１６に記憶させる撮像記憶手段１６６とを、備えたものであることから、携帯電話機３０により撮影された撮像データに関して、どの楽曲のカラオケ演奏を行っている様子を撮影したものか特定でき、特定された楽曲とその撮像データとを対応付けて記憶させることで、その撮像データを同一の楽曲に対応する他の動画と組み合わせるといった処理を行うことが可能となる。【選択図】図５
2014085644.tif 000002
【特許請求の範囲】
【請求項１】
多数の楽曲のうちから選択される楽曲の演奏出力を行うカラオケ装置と、撮像装置を備えた携帯型端末装置と、通信回線を介して該携帯型端末装置との間で情報の送受信を行うサーバ装置とを、備えたカラオケシステムであって、
前記携帯型端末装置の撮像装置による撮像データの撮影時点において、前記カラオケ装置により演奏出力が行われていた楽曲を特定する楽曲特定手段と、
前記携帯型端末装置の撮像装置により撮影された前記撮像データを、前記楽曲特定手段により特定された楽曲と対応付けて前記サーバ装置に記憶させる撮像記憶手段と
を、備えたことを特徴とするカラオケシステム。
【請求項２】
前記カラオケ装置の利用者に対応する画像と、該利用者の識別情報とを対応付けて記憶する顧客データベースと、
該顧客データベースに記憶された関係から、前記携帯型端末装置の撮像装置により撮影された前記撮像データに含まれる画像に基づいて、該撮像データに対応する歌唱者を特定する歌唱者特定手段と
を、備え、
前記楽曲特定手段は、前記カラオケ装置に対して選曲入力された複数の楽曲から、前記歌唱者特定手段により特定された歌唱者を選曲入力主体とする楽曲を、前記カラオケ装置により演奏出力が行われていた楽曲として特定するものであり、
前記撮像記憶手段は、前記携帯型端末装置の撮像装置により撮影された前記撮像データを、前記歌唱者特定手段により特定された歌唱者及び前記楽曲特定手段により特定された楽曲と対応付けて前記サーバ装置に記憶させるものである
請求項１に記載のカラオケシステム。
【請求項３】
前記携帯型端末装置は、前記楽曲特定手段により特定された楽曲と同じ楽曲に対応付けられて前記サーバ装置に記憶された撮像データを選択可能に表示させる撮像リスト表示手段を備えたものである請求項１又は２に記載のカラオケシステム。
【請求項４】
前記顧客データベースは、前記カラオケ装置の利用者に対応する顔画像と、該利用者の識別情報とを対応付けて記憶するものであり、
前記歌唱者特定手段は、前記顧客データベースに記憶された関係から、前記携帯型端末装置の撮像装置により撮影された前記撮像データに含まれる人物の顔画像に基づいて、該撮像データに対応する歌唱者を特定するものである請求項２又は３に記載のカラオケシステム。
【請求項５】
前記歌唱者特定手段は、前記撮像データに複数の人物の顔画像が含まれる場合には、該撮像データに含まれるマイクロフォンに相当する画像に基づいて該撮像データに対応する歌唱者を特定するものである請求項４に記載のカラオケシステム。
【請求項６】
前記撮像記憶手段は、前記撮像データに複数の人物の顔画像が含まれる場合には、前記顧客データベースに記憶された関係から、前記撮像データに含まれる人物の顔画像に基づいて該撮像データに含まれる全ての人物の識別情報を取得し、該撮像データを、取得された全ての人物の識別情報及び前記楽曲特定手段により特定された楽曲と対応付けて前記サーバ装置に記憶させるものである請求項４又は５に記載のカラオケシステム。
【発明の詳細な説明】
【技術分野】
【０００１】
本発明は、多数の楽曲のうちから選択される楽曲を出力させるカラオケ装置を用いたカラオケシステムに関し、特に、利用者がカラオケ演奏を行う様子を携帯型端末装置で撮影した撮像データの利便性を向上させるための改良に関する。
【背景技術】
【０００２】
所定の通信回線を介して複数の通信端末装置に対する映像情報の配信を行う映像情報配信システムが知られており、近年における通信技術の向上に伴いコンテンツビジネスの中核として更なる発展が期待されている。そのような映像情報配信システムにおいては、通常、所謂動画投稿サイトにおいて所定の通信端末装置から投稿（アップロード）された複数の映像情報が所定の映像データベースに記憶され、任意の通信端末装置によりその動画投稿サイトを介してのアクセスが可能とされる。それにより、前記所定の通信端末装置により投稿された映像情報が、任意の通信端末装置により閲覧可能とされる。
【０００３】
ところで、本出願人は、前記カラオケ装置を通信端末装置として前記映像情報配信システムに組み込み、そのカラオケ装置による所定の楽曲の出力に際して撮像装置により撮影された映像情報及び音声入力装置により入力された音声情報の投稿を受け付けて閲覧可能とする技術を発案し、実用化している。また、この技術に関して、共通の楽曲に関連付けられた複数の映像情報を組み合わせて共演映像情報を編集し、前記カラオケ装置のみならずパーソナルコンピュータ等の通信端末装置により閲覧可能とする共演映像（コラボ動画）のサービスを展開している。例えば、特許文献１に記載された映像情報配信システムがその一例である。この技術によれば、前記カラオケ装置に備えられた撮像装置により撮影されたカラオケ演奏の様子を、同一の楽曲に対応する他の動画と組み合わせて閲覧可能に配信することができる。
【先行技術文献】
【特許文献】
【０００４】
【特許文献１】特開２０１２−７３３７９号公報
【発明の概要】
【発明が解決しようとする課題】
【０００５】
ところで、必ずしも全てのカラオケ装置が撮像装置を備えているわけではなく、撮像装置を備えていないカラオケ装置も存在する。そのようなカラオケ装置によるカラオケ演奏の様子を撮影して前記映像情報配信システム等にアップロードしたい場合、例えば、所謂スマートフォン等の携帯型端末装置に備えられた撮像装置により斯かるカラオケ演奏の様子を撮影することが考えられる。しかし、携帯型端末装置に備えられた撮像装置により撮影された撮像データでは、どの楽曲のカラオケ演奏を行っている様子を撮影したものか特定できないという弊害があった。撮像データに対応する楽曲を特定できない場合、前記従来の技術のように、同一の楽曲に対応する他の動画と組み合わせるといった処理を行うことができない。このような課題は、映像情報配信システムと連動するカラオケシステムの可能性について発明者等が鋭意研究を継続する過程において新たに見出したものである。
【０００６】
本発明は、以上の事情を背景として為されたものであり、その目的とするところは、利用者がカラオケ演奏を行う様子を携帯型端末装置で撮影した撮像データの利便性を向上させるカラオケシステムを提供することにある。
【課題を解決するための手段】
【０００７】
斯かる目的を達成するために、本発明の要旨とするところは、多数の楽曲のうちから選択される楽曲の演奏出力を行うカラオケ装置と、撮像装置を備えた携帯型端末装置と、通信回線を介してその携帯型端末装置との間で情報の送受信を行うサーバ装置とを、備えたカラオケシステムであって、前記携帯型端末装置の撮像装置による撮像データの撮影時点において、前記カラオケ装置により演奏出力が行われていた楽曲を特定する楽曲特定手段と、前記携帯型端末装置の撮像装置により撮影された前記撮像データを、前記楽曲特定手段により特定された楽曲と対応付けて前記サーバ装置に記憶させる撮像記憶手段とを、備えたことを特徴とするものである。
【発明の効果】
【０００８】
このようにすれば、前記携帯型端末装置の撮像装置による撮像データの撮影時点において、前記カラオケ装置により演奏出力が行われていた楽曲を特定する楽曲特定手段と、前記携帯型端末装置の撮像装置により撮影された前記撮像データを、前記楽曲特定手段により特定された楽曲と対応付けて前記サーバ装置に記憶させる撮像記憶手段とを、備えたものであることから、前記携帯型端末装置により撮影された撮像データに関して、どの楽曲のカラオケ演奏を行っている様子を撮影したものか特定でき、特定された楽曲とその撮像データとを対応付けて記憶させることで、その撮像データを同一の楽曲に対応する他の動画と組み合わせるといった処理を行うことが可能となる。すなわち、利用者がカラオケ演奏を行う様子を携帯型端末装置で撮影した撮像データの利便性を向上させるカラオケシステムを提供することができる。
【０００９】
ここで、好適には、前記カラオケ装置の利用者に対応する画像と、その利用者の識別情報とを対応付けて記憶する顧客データベースと、その顧客データベースに記憶された関係から、前記携帯型端末装置の撮像装置により撮影された前記撮像データに含まれる画像に基づいて、その撮像データに対応する歌唱者を特定する歌唱者特定手段とを、備え、前記楽曲特定手段は、前記カラオケ装置に対して選曲入力された複数の楽曲から、前記歌唱者特定手段により特定された歌唱者を選曲入力主体とする楽曲を、前記カラオケ装置により演奏出力が行われていた楽曲として特定するものであり、前記撮像記憶手段は、前記携帯型端末装置の撮像装置により撮影された前記撮像データを、前記歌唱者特定手段により特定された歌唱者及び前記楽曲特定手段により特定された楽曲と対応付けて前記サーバ装置に記憶させるものである。このようにすれば、前記携帯型端末装置により撮影された撮像データに関して、どの楽曲のカラオケ演奏を行っている様子を撮影したものか実用的な態様で特定でき、特定された楽曲及び歌唱者とその撮像データとを対応付けて記憶させることで、その撮像データの利便性を更に向上させることができる。
【００１０】
また、好適には、前記携帯型端末装置は、前記楽曲特定手段により特定された楽曲と同じ楽曲に対応付けられて前記サーバ装置に記憶された撮像データを選択可能に表示させる撮像リスト表示手段を備えたものである。このようにすれば、前記携帯型端末装置により撮影された撮像データを、その撮像データに対応する楽曲と同一の楽曲に対応する他の動画と組み合わせるといった処理を好適且つ実用的な態様で実行することができる。
【００１１】
また、好適には、前記顧客データベースは、前記カラオケ装置の利用者に対応する顔画像と、その利用者の識別情報とを対応付けて記憶するものであり、前記歌唱者特定手段は、前記顧客データベースに記憶された関係から、前記携帯型端末装置の撮像装置により撮影された前記撮像データに含まれる人物の顔画像に基づいて、その撮像データに対応する歌唱者を特定するものである。このようにすれば、前記携帯型端末装置により撮影された撮像データに関して、その撮像データに対応する歌唱者及びどの楽曲のカラオケ演奏を行っている様子を撮影したものかを好適且つ実用的な態様で特定できる。
【００１２】
また、好適には、前記歌唱者特定手段は、前記撮像データに複数の人物の顔画像が含まれる場合には、その撮像データに含まれるマイクロフォンに相当する画像に基づいてその撮像データに対応する歌唱者を特定するものである。このようにすれば、前記携帯型端末装置により撮影された撮像データに関して、その撮像データに対応する歌唱者を好適且つ実用的な態様で特定できる。
【００１３】
また、好適には、前記撮像記憶手段は、前記撮像データに複数の人物の顔画像が含まれる場合には、前記顧客データベースに記憶された関係から、前記撮像データに含まれる人物の顔画像に基づいてその撮像データに含まれる全ての人物の識別情報を取得し、その撮像データを、取得された全ての人物の識別情報及び前記楽曲特定手段により特定された楽曲と対応付けて前記サーバ装置に記憶させるものである。このようにすれば、前記携帯型端末装置により撮影された撮像データに関して、その撮像データに対応するカラオケ演奏を行っていた利用者全員と関連付けて記憶させることで、その撮像データの利便性を更に向上させることができる。
【図面の簡単な説明】
【００１４】
【図１】本発明が好適に適用されるカラオケシステムの構成の一例を説明する図である。
【図２】図１のカラオケシステムに備えられたカラオケ装置の構成を例示するブロック線図である。
【図３】図１のカラオケシステムに備えられたサーバ装置の構成を例示するブロック線図である。
【図４】図１のカラオケシステムに備えられた携帯電話機の構成を例示するブロック線図である。
【図５】図３のサーバ装置のＣＰＵ及び図４の携帯電話機のＣＰＵに備えられた制御機能の要部を説明する機能ブロック線図である。
【図６】図４の携帯電話機に備えられたデジタルカメラにより撮影される撮像データの一例を示す図である。
【図７】図６の撮像データに対応する楽曲の特定を行う楽曲確定ボタンを含む画像を例示する図である。
【図８】図６の撮像データに対応する楽曲の特定を行う楽曲選択ボタンを含む画像を例示する図である。
【図９】図４の携帯電話機に備えられたデジタルカメラにより撮影される、複数の人物の顔画像を含む撮像データの一例を示す図である。
【図１０】図４の携帯電話機に備えられたデジタルカメラにより撮影される撮像データと同一の楽曲に対応付けられた動画データのサムネイルが検索されてその撮像データと併行して表示された様子を示す図である。
【図１１】図３のサーバ装置により配信される共演動画の一例を示す図である。
【図１２】図４の携帯電話機のＣＰＵによる撮像データ記憶制御の一例の要部を説明するフローチャートである。
【図１３】図４の携帯電話機のＣＰＵによる共演動画設定制御の一例の要部を説明するフローチャートである。
【発明を実施するための形態】
【００１５】
以下、本発明の好適な実施例を図面に基づいて詳細に説明する。
【実施例】
【００１６】
図１は、本発明が好適に適用されるカラオケシステム１０の構成を説明する図である。この図１に示すカラオケシステム１０においては、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）カラオケ装置１６ａ、１６ｂ、１６ｃ、・・・（以下、特に区別しない場合には単にカラオケ装置１６と称する）が設置されている。これら複数のカラオケ装置１６は、ＬＡＮ（local area network）２４及びルータ２２を介して通信回線２０に接続されており、同様にその通信回線２０に接続されたサーバ装置１８等との相互間でその通信回線２０を介して情報の通信が可能とされている。
【００１７】
また、前記カラオケシステム１０は、複数の電子早見本装置２８ａ、２８ｂ、２８ｃ、・・・（以下、特に区別しない場合には単に電子早見本装置２８と称する）を備えており、前記カラオケ装置１６の利用に際して、各利用者（グループ）毎に１台乃至数台ずつの前記電子早見本装置２８が貸与され、各個室１４において後述するように前記カラオケ装置１６との間で対応付け処理が行われることで、そのカラオケ装置１６の遠隔操作装置として用いられるようになっている。また、図１に示すように、前記店舗１２内には前記複数のカラオケ装置１６を相互に接続するＬＡＮ２４が敷設されており、前記電子早見本装置２８からのカラオケ装置１６への入力は、所定のアクセスポイント２６及びＬＡＮ２４を介したＬＡＮ通信等により行われる。
【００１８】
前記通信回線２０は、例えば公衆電話回線、ＡＤＳＬ回線、或いは光ファイバ回線等から構成されるＷＷＷ（World Wide Web）等のインターネットに接続された広域情報通信網である。また、前記サーバ装置１８は、例えば、前記カラオケシステム１０を管理する情報配信サービス提供会社によって運営されるサーバであり、そのカラオケシステム１０における楽曲データ（カラオケデータ）、背景映像情報、曲間情報等のデジタルコンテンツ（Digital Contents）の保管や入出力管理の基本的な制御を行うセンタ装置として機能する。また、前記カラオケシステム１０を利用する各利用者毎の、前記カラオケ装置１６を用いたカラオケ演奏に関する情報を、その利用者の識別情報（ユーザＩＤ）と対応付けて記憶するＳＮＳデータベース１０８（図５を参照）を管理するデータベースサーバとして機能する。なお、本実施例においては、前記カラオケシステム１０のセンタ装置としての機能及びデータベースサーバとしての機能を兼ね備えた単一の前記サーバ装置１８を備えた構成について説明するが、それらセンタ装置及びデータベースサーバが個別のサーバ装置として構成されたものであってもよい。また、後述する前記サーバ装置１８による各種制御が、複数のサーバ装置により分散的に実行される等の態様も考えられる。
【００１９】
図１に示すように、本実施例のカラオケシステム１０は、前記通信回線２０を介して複数のシステム乃至通信端末装置との間で相互に情報の送受信が可能とされている。すなわち、携帯型端末装置としての携帯電話機３０及びタブレット３２等が中継基地局３４を介して前記通信回線２０に接続されており、それら携帯電話機３０及びタブレット３２等と前記サーバ装置１８等との間で相互に情報の送受信が可能とされている。また、その通信回線２０には、前記携帯電話機３０及びタブレット３２等から前記カラオケ装置１６に対する選曲入力等の情報を中継する所謂プロキシサーバ（proxy server）としてのサーバ装置３６が接続されており、前記携帯電話機３０及びタブレット３２等から前記カラオケ装置１６への情報の入力は、好適には、前記サーバ装置３６を中継して行われるようになっている。ここで、前記携帯電話機３０及びタブレット３２等と前記サーバ装置３６との間の通信回線は、そのサーバ装置３６と前記カラオケ装置１６との間の通信回線と態様の異なるものであっても構わない。例えば、前記携帯電話機３０及びタブレット３２等と前記サーバ装置３６との間が一般回線により接続され、そのサーバ装置３６と前記カラオケ装置１６との間が専用回線により接続されるものであってもよい。
【００２０】
図２は、前記カラオケ装置１６の構成を例示するブロック線図である。この図１に示すように、前記カラオケ装置１６は、中央演算処理装置であるＣＰＵ４２と、読出専用メモリであるＲＯＭ４４と、随時書込読出メモリであるＲＡＭ４６と、記憶装置であるハードディスク４８と、グラフィックスチップ（グラフィックスボード）等の映像処理部５０と、サウンドチップ（サウンドボード）等の音声処理部５２と、操作パネル５４と、表示制御部５６及び入力制御部５８を介して前記ＣＰＵ４２に接続されたタッチパネルディスプレイ６０と、ＬＡＮインターフェイス６６と、無線通信部６８と、ビデオ出力端子７０を介して前記映像処理部５０に接続された映像表示装置であるディスプレイ７２と、オーディオ入力端子７４を介して前記音声処理部５２に接続された音声入力装置であるマイクロフォン７６と、オーディオ出力端子７８を介して前記音声処理部５２に接続された音声増幅装置であるアンプ８０と、そのアンプ８０に備えられた音声出力装置であるスピーカ８２とを、備えて構成されている。
【００２１】
前記ＣＰＵ４２は、前記ＲＡＭ４６の一時記憶機能を利用しつつ前記ＲＯＭ４４に予め記憶された所定のプログラムに基づいて電子情報を処理・制御する所謂マイクロコンピュータであり、前記カラオケ装置１６における各種制御を実行する。すなわち、前記操作パネル５４、タッチパネルディスプレイ６０、或いは電子早見本装置２８等により所定の楽曲（カラオケ演奏曲）が選曲入力された場合、その選曲入力された楽曲を前記ＲＡＭ４６等に設けられた予約曲テーブルに登録する選曲予約制御、その予約曲テーブルの演奏順に従って前記ハードディスク４８から前記ＲＡＭ４６に選曲されたカラオケ演奏曲の演奏情報及び歌詞情報（楽曲データ）を読み出す楽曲データ読出制御、楽曲の演奏進行に応じてそのＲＡＭ４６から前記音声処理部５２へ演奏情報を送信する演奏出力制御、その演奏出力制御に際して前記ＲＡＭ４６に展開された歌詞情報に基づいて歌詞文字映像を生成して前記映像処理部５０へ送信する歌詞文字映像出力制御、前記演奏出力制御に際して前記映像処理部５０を制御して所定の背景映像を再生させる背景映像出力制御、及びカラオケ演奏が行われていない間すなわち曲間において、新譜情報、選曲ランキング、店舗広告等の曲間情報を出力させる曲間情報出力制御等の基本的な制御を実行する。
【００２２】
前記映像処理部５０は、前記ディスプレイ７２に表示される画面（映像）の描画に係る各種制御を行う。例えば、前記ＣＰＵ４２から供給されるデータに基づいてグラフィックスメモリにそのデータを書き込み、そのデータを読み出すことによって前記ビデオ出力端子７０を介して前記ディスプレイ７２に所定の画面を表示させる制御を行う。具体的には、前記カラオケ装置１６による楽曲の演奏出力（カラオケ演奏）に際して、前記ＣＰＵ４２において生成された歌詞文字映像等の文字映像（テロップ）を出力させたり、前記ハードディスク４８に記憶されたＭＰＥＧ（Moving Picture Experts Group）データ等の背景映像情報に基づいて所定の背景映像を再生（デコード）させたり、その背景映像の前面側に前記歌詞文字映像を合成させて前記ディスプレイ７２に表示させたり、その歌詞文字映像を前記楽曲の演奏進行に応じて順次色替わり表示させる等の各種表示制御を行う。なお、本実施例においては、前記映像処理部５０により前記ディスプレイ７２の表示制御を行う一方、後述する表示制御部５６により前記タッチパネルディスプレイ６０（表示装置６２）の表示制御を行う態様について説明するが、前記映像処理部５０により前記タッチパネルディスプレイ６０の表示制御をも行う態様も考えられる。この態様において、前記表示制御部５６は必ずしも設けられなくともよい。
【００２３】
前記音声処理部５２は、ＦＭ音源やＰＣＭ音源等の各種音源を備え、前記カラオケ装置１６による音声出力に係る各種制御を行う。好適には、電子回路により音を合成し、各種音色を発生するシンセサイザ（synthesizer）を備えている。このシンセサイザは、前記ハードディスク４８から読み出されて送られて来るカラオケ演奏曲の演奏情報に基づいて楽器の演奏信号等の音楽信号を生成する。前記シンセサイザは、好適には、ＭＩＤＩ（Musical Instrument Digital Interface）端子を備えたものであり、前記演奏情報は、例えばＭＩＤＩ形式のデータである。そのＭＩＤＩデータに基づいて前記シンセサイザにより生成された音楽信号は、前記マイクロフォン７６から前記オーディオ入力端子７４を介して入力される利用者（演奏者）の歌声とミキシングされ、前記オーディオ出力端子７８を介して前記アンプ８０に供給されてそのアンプ８０により増幅されて前記スピーカ８２から出力される。
【００２４】
前記操作パネル５４は、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための操作ボタン（スイッチ）或いはつまみを備えた入力装置である。また、前記タッチパネルディスプレイ６０は、画像（映像）を表示させると共に利用者の操作に応じて前記カラオケ装置１６への操作入力を行う装置であり、そのタッチパネルディスプレイ６０に所定の画像（映像）を表示させる表示装置６２と、利用者の指や図示しない備え付けのペン等による前記タッチパネルディスプレイ６０への接触により入力を行うタッチパネル６４とを、備えている。前記表示制御部５６は、前記ＣＰＵ４２から供給される情報に基づいて前記表示装置６２に表示される画面（映像）の描画を制御する映像処理部である。前記入力制御部５８は、前記タッチパネル６４により入力される操作入力情報を前記ＣＰＵ４２等に供給する入力処理部である。以上の構成を備えていることで、前記タッチパネルディスプレイ６０は、前記ディスプレイ７２とは別に第２の映像表示装置として機能すると共に、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力装置として機能する。
【００２５】
前記ＬＡＮインターフェイス６６は、前記カラオケ装置１６をＬＡＮ接続端子８４を介して前記ＬＡＮ２４に接続するための接続器であり、そのように前記ＬＡＮ２４に接続されることで、前記カラオケ装置１６は、同様に前記ＬＡＮ２４に接続された前記電子早見本装置２８等の他の機器との間で情報の送受信が可能とされる。また、前記カラオケ装置１６が設置される店舗等に複数台のカラオケ装置が備えられている場合において、同様に前記ＬＡＮ２４に接続されたカラオケ装置相互間において情報の送受信が可能とされる。例えば、前記ＬＡＮ２４に接続されたアクセスポイント２６を介して受信される電子早見本装置２８からの選曲入力を受け付けて前記ＲＡＭ４６に設けられた予約曲テーブルに記憶したり、そのアクセスポイント２６を介して前記カラオケ装置１６から電子早見本装置２８へ所定の情報を送信したりというように、電波を介して前記カラオケ装置１６と電子早見本装置２８との間における相互の情報のやりとりが実行される。
【００２６】
前記カラオケ装置１６は、図１に示すように、前記ＬＡＮ２４及びルータ２２等を介して前記通信回線２０に接続されており、同様にその通信回線２０に接続された他の機器との相互間でその通信回線２０を介して情報の通信が可能とされている。好適には、前記通信回線２０を介して前記サーバ装置１８に接続されており、そのサーバ装置１８から楽曲データ（カラオケデータ）、背景映像情報、及び曲間情報等のデジタルコンテンツ（Digital Contents）の配信を受け付けるものである。すなわち、前記カラオケ装置１６は、好適には、所定の通信回線に接続されてサーバとの間で各種情報の送受信を行う通信カラオケ装置であるが、斯かる通信回線に接続されない非通信型のカラオケ装置等にも本発明は好適に適用される。
【００２７】
前記無線通信部６８は、前記カラオケ装置１６と前記電子早見本装置２８等の入力装置との間の無線通信を行う。例えば、前記電子早見本装置２８等の入力装置から送信されるリモコン信号を受信するリモコン受信部として機能する。前記カラオケ装置１６と電子早見本装置２８との対応付け（くくりつけ）処理は、好適には、斯かるリモコン信号（赤外線信号）により前記無線通信部６８を介して行われる。すなわち、前記電子早見本装置２８は、それぞれ個別のシリアル番号を有しており、前記対応付け処理においては、例えばそのシリアル番号（例えば、下４桁）及び所定の接続コードを含む信号が接続通知として前記カラオケ装置１６へ送信され、前記無線通信部６８によりその接続信号を受信したカラオケ装置１６に対して前記電子早見本装置２８が対応付けられる。そのようにして前記カラオケ装置１６に対応付けられた電子早見本装置２８は、そのカラオケ装置１６の入力装置（遠隔操作装置）として機能し、その電子早見本装置２８から送信される信号が前記ＣＰＵ４２に供給されることで、前記カラオケ装置１６の利用者が歌いたい楽曲を選択したり、楽曲の演奏出力に係る音程を調整したり、演奏と歌との音量バランスを調整したり、その他、エコー、音量、トーン等の各種調整を行うための入力が受け付けられるようになっている。なお、前記対応付け処理が行われた後、前記電子早見本装置２８と前記カラオケ装置１６との間の通信は、前記ＬＡＮ２４及びアクセスポイント２６等を介したＬＡＮ通信により行われる。また、本実施例においては、前記カラオケ装置１６に対応付け処理の行われた電子早見本装置２８等の入力装置もそのカラオケ装置１６の一部を構成するものであるとして以下の説明を行う。
【００２８】
図３は、前記サーバ装置１８の構成を説明する図である。この図３に示すように、前記サーバ装置１８は、中央演算処理装置であるＣＰＵ９０、読出専用メモリであるＲＯＭ９２、及び随時書込読出メモリであるＲＡＭ９４を備え、前記ＣＰＵ９０によりＲＡＭ９４の一時記憶機能を利用しつつＲＯＭ９２に予め記憶されたプログラムに従って信号処理を行う所謂ノイマン式コンピュータである。また、ＴＦＴやＰＤＰ等の映像表示装置９６と、その映像表示装置９６による映像の表示を制御するためのビデオボード（グラフィックスチップ）等の映像処理部９８と、キーボード等の入力装置１００と、その入力装置１００による入力を処理するためのインターフェイス１０２と、前記ＣＰＵ９０等を前記通信回線２０に接続するためのモデム１０４とを、備えて構成されている。また、前記サーバ装置３６は、例えば、前記ＣＰＵ９０、ＲＯＭ９２、ＲＡＭ９４、及びモデム１０４等に関して図３に示すサーバ装置１８と等価な構成を有する所謂ノイマン式コンピュータであり、本実施例においてはその詳細な説明を省略する。
【００２９】
図３に示すように、前記サーバ装置１８は、楽曲データベース１０６及びＳＮＳデータベース１０８をはじめとする各種データベースを備えている。この楽曲データベース１０６は、前記カラオケシステム１０における前記カラオケ装置１６等に配信するための多数の楽曲データ（カラオケデータ）を記憶するものであり、新しく作成された楽曲データはこの楽曲データベース１０６に蓄積される。そして、所定の配信制御プログラムにより定期的に、或いは前記カラオケ装置１６等からの配信要求に応じて、随時新たな楽曲データが前記サーバ装置１８の楽曲データベース１０６から前記通信回線２０を介して配信され、前記カラオケ装置１６等に配信される。
【００３０】
前記楽曲データベース１０６は、前記カラオケ装置１６により出力可能な楽曲にそれぞれ対応する多数（例えば、数万曲分）の楽曲データ（カラオケデータ）を記憶する。この楽曲データは、前記音声処理部５２により所定の楽器の演奏音を生成するための演奏情報と、歌詞文字映像（歌詞テロップ）を生成するための歌詞情報と、その歌詞情報に基づいて生成された歌詞文字映像を演奏の進行に合わせて順次色替わりさせてゆくための歌詞色替情報とを、含むものであり、コンテンツＩＤである各楽曲に固有の選曲番号により識別される。また、前記楽曲データには、その楽曲の曲名、アーティスト名（歌手名）、発表年月日、曲の長さ（演奏時間）、ジャンル、曲調、アーティスト（歌手）の出身地、コンサート情報（近い将来その楽曲のコンサートが行われる開催地等に係る情報）、タイアップ情報（例えばその楽曲が主題歌として用いられたドラマの放映された曜日、時間帯、ＣＭソング）等の情報が関連づけられて記憶されている。
【００３１】
前記ＳＮＳデータベース１０８は、前記カラオケシステム１０の利用者を対象とするソーシャルネットワークサービス（Social Network Service）に係る各種情報を記憶する。このソーシャルネットワークサービスとは、例えば、予め会員登録された会員相互間に限定して情報の閲覧等のサービスを提供する会員制のコミュニティ型のウェブサイトをいう。なお、以下の説明において、ソーシャルネットワークサービスをＳＮＳと略称する。前記ＳＮＳデータベース１０８は、前記カラオケシステム１０を利用する各利用者毎の、前記カラオケ装置１６を用いたカラオケ演奏に関する情報を、その利用者の識別情報（ユーザＩＤ）と対応付けて記憶する記憶装置である。このＳＮＳデータベース１０８には、ユーザＩＤにより識別される各利用者毎に、例えばその利用者の名前（ニックネーム）、生年月日、実際の年齢、性別、メールアドレス、利用者の住所又は居所に対応する地域、血液型、星座、ＳＮＳへのログイン認証に用いられるパスワード、パスワードを忘れたときのための質問及び解答、アバタ（ネット上において利用者を象徴する人型映像）に関する情報、及び利用者の歌年齢等の情報がその利用者のユーザＩＤと対応付けられて記憶される。この歌年齢とは、利用者の楽曲の好みの傾向がどの程度の年代（何歳）に相当するものかを示す仮想的な年齢情報であり、対象となる利用者が前記カラオケ装置１６において過去に選曲（演奏）した楽曲に基づいて判断される値である。
【００３２】
また、前記ＳＮＳデータベース１０８には、各利用者の前記カラオケ装置１６を用いたカラオケ演奏に関する情報として、例えばその利用者が過去に利用したカラオケ装置１６に対応する店舗１２（そのカラオケ装置１６が設置された店舗１２）に関する情報である来店履歴、その利用者が前記カラオケ装置１６によるカラオケ演奏において十八番曲或いはお気に入りとして登録した楽曲（簡易な操作により選曲入力を行い得るように設定された楽曲）に関する情報、その利用者が過去に前記カラオケ装置１６によるカラオケ演奏において選曲した選曲履歴（カラオケ装置１６において過去に選曲された楽曲の履歴）に関する情報、その利用者が前記カラオケ装置１６によるカラオケ演奏において過去に行った演奏評価の評価結果に関する情報、及びその利用者がフレンドとして登録した他の利用者に関する情報等が各利用者毎にその利用者のユーザＩＤと対応付けられて記憶される。
【００３３】
また、前記ＳＮＳデータベース１０８には、前記カラオケ装置１６の各利用者に対応する画像データが、その利用者のユーザＩＤと対応付けられて記憶される。この画像データは、好適には、各利用者の顔画像すなわち顔の輪郭と、その輪郭に対する目、鼻、及び口等のパーツの相対的な位置関係を把握するのに必要十分な画像に相当するものである。好適には、予め撮影された各利用者の顔画像が例えば前記ＳＮＳ登録に際して前記ＳＮＳデータベース１０８に記憶されるものであるが、後述するように各利用者により投稿された動画データからその動画データに含まれる人物の顔画像がキャプチャされる等して、その利用者に対応する顔画像として記憶されるものであってもよい。また、各利用者の所有に係るアクセサリ等の画像がその利用者に対応付けられて前記ＳＮＳデータベース１０８に記憶されるものであってもよい。すなわち、本実施例においては、前記ＳＮＳデータベース１０８が前記カラオケ装置１６の利用者に対応する画像（顔画像）と、その利用者の識別情報とを対応付けて記憶する顧客データベースに対応する。
【００３４】
また、前記ＳＮＳデータベース１０８には、前記カラオケ装置１６の各利用者から投稿された動画データが、その利用者のユーザＩＤと対応付けられて記憶される。例えば、前記カラオケ装置１６に備えられた図示しない撮像装置や、携帯型端末装置である前記携帯電話機３０に備えられたデジタルカメラ１４４等により撮影された動画データ（撮像データ）が、その動画データに対応する楽曲の識別情報（好適には選曲番号）及び投稿者である利用者の識別情報（好適にはユーザＩＤ）と対応付けられて記憶される。すなわち、本実施例においては、前記ＳＮＳに係るデータベースサーバとしての機能と動画情報配信サーバとしての機能を兼ね備えた単一の前記サーバ装置１８を備えた構成について説明するが、それらの機能が複数のサーバ装置により分散的に実行される等の態様も考えられる。
【００３５】
図４は、前記携帯電話機３０の構成を例示する図である。前述のように、本実施例のカラオケシステム１０は、前記サーバ装置１８等との間で情報の通信を行う携帯型端末装置として前記携帯電話機３０及びタブレット３２等を備えたものであるが、以下の説明においては、前記携帯電話機３０を携帯型端末装置として用いる実施例について説明し、余の携帯型端末装置については説明を省略する。すなわち、以下に説明する実施例における各種制御は、前記タブレット３２をはじめとする前記携帯電話機３０以外の携帯型端末装置においても好適に実行されるものである。
【００３６】
図４に示すように、前記携帯電話機３０は、中央演算処理装置であるＣＰＵ１１０と、読出専用メモリであるＲＯＭ１１２と、随時書込読出メモリであるＲＡＭ１１４と、フラッシュＲＯＭ等の記憶部１１６と、アンテナ１２０と、送受信部１２２と、モデム部１２４と、音声コーディック部１２６と、アナログフロントエンド１２８と、スピーカ１３０と、マイクロフォン１３２と、タッチパネルディスプレイ１３４と、撮像装置であるデジタルカメラ１４４とを、備えて構成されている。
【００３７】
前記ＣＰＵ１１０は、随時書込読出メモリであるＲＡＭ１１４の一時記憶機能を利用しつつ読出専用メモリであるＲＯＭ１１２に予め記憶されたプログラムに従って信号処理を行う所謂マイクロコンピュータであり、前記タッチパネルディスプレイ１３４に表示された文字入力ボタンに対する入力操作に従って文字入力が実行されるように制御したり、斯かる入力操作により入力された電話番号に従って通信或いは通話チャンネルを成立させると共に相互の通信或いは通話が可能となるように制御したり、前記入力操作により入力されたＵＲＬに従って所定のウェブサイトにアクセスしたり、メールの作成及び送受信を制御したり、前記デジタルカメラ１４４により撮像を行う等の基本的な制御に加えて、後述する本実施例の撮像データ記憶制御等の各種制御を実行する。例えば、前記携帯電話機３０の通話状態においては、前記アンテナ１２０を介して送受信部１２２に受けた通話信号等がモデム部１２４を介して音声コーディック部１２６においてデジタルコード信号から音声信号に変換され、アナログフロントエンド１２８によりスピーカ１３０が駆動されて音声が出力される。同時に、前記マイクロフォン１３２により音声から変換された音声信号が前記アナログフロントエンド１２８を介して前記音声コーディック部１２６に送られてそこでディジタル信号に変換され、前記モデム部１２４、送受信部１２２、及びアンテナ１２０を介して送信される。
【００３８】
前記携帯電話機３０は、前記タッチパネルディスプレイ１３４に所定の映像を表示させる表示装置１３６と、その表示装置１３６による表示を制御する表示制御部１３８と、利用者の指や図示しない備え付けのペン等によるタッチパネルディスプレイ１３４への接触により入力を行うタッチパネル１４０と、そのタッチパネル１４０による入力を制御する入力制御部１４２とを、備えている。また、前記送受信部１２２等を介して前記通信回線２０に接続され、その通信回線２０に接続された前記サーバ装置１８をはじめとする各種通信機器との間で情報の通信が可能とされる。また、前記通信回線２０を介しての通信状態において、前記ＣＰＵ１１０は、前記タッチパネルディスプレイ１３４等により入力された信号を通信先へ送信すると同時に、通信先から受信された信号をそのタッチパネルディスプレイ１３４に表示させる制御を行う。すなわち、前記携帯電話機３０は、前記タッチパネルディスプレイ１３４を有すると共に、そのタッチパネルディスプレイ１３４を介しての操作に応じたインターネットへのアクセス機能をはじめとする各種機能を有する所謂スマートフォンである。
【００３９】
前記デジタルカメラ１４４は、例えばＣＣＤ（charge coupled device）やＣＭＯＳ（Complementary Metal-Oxide Semiconductor）等の撮像素子及びレンズを備え、そのレンズから入射される映像を撮像素子により検知し、その映像を電子情報（撮像データ）として取得する所謂デジタルビデオカメラであり、少なくとも動画（時間の経過に従い変化する動きのある映像）を撮影し得るものであるが、必要に応じて静止画（スチル写真）を撮影できるように構成されたものであってもよい。このデジタルカメラ１４４により撮影された撮像データは、図示しないビデオ端子等のインターフェイスを介して前記ＣＰＵ１１０等へ供給され、例えば前記マイクロフォン１３２から入力される音声情報と共に、例えばＡＶＩ（Audio-Video Interleaved）形式、ＭＰＥＧ（Moving Picture Experts Group）形式、ＦＬＶ（Flash Video）形式等の映像ファイル（動画データ）として前記記憶部１１６等に記憶される。
【００４０】
図５は、前記サーバ装置１８のＣＰＵ９０、前記携帯電話機３０のＣＰＵ１１０、及び前記サーバ装置３６のＣＰＵ９０に備えられた制御機能の要部を説明する機能ブロック線図である。この図５に示すように、好適には、ＳＮＳ管理制御手段１５０、動画配信制御手段１５２、及び楽曲特定手段１７０は、前記サーバ装置１８のＣＰＵ９０に機能的に備えられたものであり、選曲入力制御手段１５４、利用者特定手段１５８、ログイン認証制御手段１６２、楽曲特定手段１６４、撮像記憶手段１６６、及び撮像リスト表示手段１６８は、前記携帯電話機３０のＣＰＵ１１０に機能的に備えられたものであり、選曲入力制御手段１５６は、前記サーバ装置３６のＣＰＵ９０に機能的に備えられたものである。すなわち、本実施例においては、携帯型端末装置としての前記携帯電話機３０（デジタルカメラ１４４）により撮影された撮像データに対応する歌唱者の特定制御、その撮像データに対応する楽曲の特定制御、及びその撮像データを対応する楽曲等と関連付けて前記サーバ装置１８（ＳＮＳデータベース１０８）に記憶させる撮像記憶制御を前記携帯電話機３０のＣＰＵ１１０により実行する例を説明するが、例えば前記楽曲特定手段１７０について後述するように、それらの制御の一部乃至全部が前記サーバ装置１８或いは前記カラオケ装置１６等により実行されるものであってもよい。すなわち、前記利用者特定手段１５８、楽曲特定手段１６４、及び撮像記憶手段１６６の一部乃至全部が前記サーバ装置１８のＣＰＵ９０或いは前記カラオケ装置１６のＣＰＵ４２に機能的に備えられたものであってもよい。
【００４１】
前記ＳＮＳ管理制御手段１５０は、前記カラオケシステム１０におけるＳＮＳに関する情報管理制御を行う。例えば、そのＳＮＳに関する情報登録制御を行う。具体的には、前記電子早見本装置２８或いは携帯電話機３０等の外部装置による入力操作に応じて、前記ＳＮＳデータベース１０８に新規ユーザ（利用者）の登録を行ったり、そのＳＮＳデータベース１０８に記憶された登録内容を変更（更新）したり、そのＳＮＳデータベース１０８に記憶された複数の利用者をフレンドとして相互に対応付けて登録したり、そのフレンドに係る情報に基づいて各利用者の前記カラオケ装置１６を用いたカラオケ演奏に関する情報の閲覧レベルを設定したりというように、前記カラオケシステム１０におけるＳＮＳの統括的な管理制御を行う。
【００４２】
前記動画配信制御手段１５２は、前記ＳＮＳデータベース１０８に記憶された動画データを前記通信回線２０を介して配信する。例えば、携帯型端末装置である前記携帯電話機３０や図示しないパーソナルコンピュータ等、前記通信回線２０に接続された通信端末装置からその通信回線２０を介して所定の動画データの配信要求があった場合には、その配信要求に応じて前記ＳＮＳデータベース１０８に記憶されたその配信要求に係る動画データを要求元である通信端末装置に前記通信回線２０を介して配信する。この動画配信制御手段１５２により各通信端末装置に配信された動画データは、斯かる通信端末装置に備えられたブラウザ（Web browser）等によりその通信端末装置の表示部（映像表示装置）に表示される。
【００４３】
また、前記動画配信制御手段１５２は、前記ＳＮＳデータベース１０８に記憶された複数の動画データを、共演動画（コラボ動画）として前記通信回線２０を介して配信する。この共演動画とは、同一の楽曲に対応する複数（好適には１組）の動画データを、所定の表示画面内において同期（併行）して出力させるものである。すなわち、前記動画配信制御手段１５２は、前記通信回線２０に接続された通信端末装置からその通信回線２０を介して所定の共演動画の配信要求があった場合には、その配信要求に応じて前記ＳＮＳデータベース１０８に記憶されたその配信要求に係る共演動画を表示させるためのデータを要求元である通信端末装置に前記通信回線２０を介して配信する。この共演動画を表示させるためのデータは、好適には、前記ＳＮＳデータベース１０８においてそれぞれ独立した動画データとして記憶された組み合わせ対象となる動画データと、それらの動画データを共演動画として同期出力させるための組み合わせ情報としての共演動画情報であるが、それら組み合わせに係る複数の動画データが予め合成され、単一の動画データ（動画ファイル）として記憶されたものであってもよい。
【００４４】
前記ログイン認証制御手段１６２は、前記タッチパネルディスプレイ１３４により入力される識別情報（ユーザＩＤ）に応じて前記カラオケシステム１０におけるＳＮＳの利用者を認証し、その認証が正常に行われた場合にはその識別情報をもってその利用者のＳＮＳへのログインを許可する。具体的には、前記タッチパネルディスプレイ１３４により識別情報であるユーザＩＤ及びパスワードが入力された場合、そのユーザＩＤに対応付けられて前記ＳＮＳデータベース１０８に記憶されたパスワードが入力されたものと一致するか否かを前記サーバ装置１８に照会し、一致する場合には正常な認証を行う一方、一致しない場合にはエラーとする。なお、前記ログイン認証制御手段１６２は、前記タッチパネルディスプレイ１３４によりユーザＩＤ及びパスワードを前記サーバ装置１８へ送信するものであってもよく、実質的な認証はそのサーバ装置１８側で行うものであっても構わない。
【００４５】
また、前記ログイン認証制御手段１６２は、前記電子早見本装置２８の制御装置に機能的に備えられたものであってもよく、その電子早見本装置２８により実行されるものであってもよい。すなわち、前記電子早見本装置２８に備えられたタッチパネルディスプレイにより識別情報であるユーザＩＤ及びパスワードが入力された場合、そのユーザＩＤに対応付けられて前記ＳＮＳデータベース１０８に記憶されたパスワードが入力されたものと一致するか否かを前記サーバ装置１８に照会し、一致する場合には正常な認証を行う一方、一致しない場合にはエラーとする。前記電子早見本装置２８における処理により正常な認証が行われた場合、好適には、認証の行われた前記電子早見本装置２８のシリアル番号、及びその電子早見本装置２８と対応付けられたカラオケ装置１６の装置ＩＤ等の情報が各利用者毎に前記ＳＮＳデータベース１０８に記憶される。
【００４６】
前記選曲入力制御手段１５４は、前記カラオケシステム１０における携帯型端末装置としての前記携帯電話機３０の利用に際して、その携帯電話機３０を対象となるカラオケ装置１６に対応付ける（くくりつける）対応付け処理を行う。すなわち、前記カラオケ装置１６の入力装置として前記携帯電話機３０を用いる上で、その携帯電話機３０による入力（例えば選曲入力）の対象となるカラオケ装置１６を設定する処理を行う。好適には、前記ログイン認証制御手段１６２による認証結果を利用して斯かる対応付け処理を行う。例えば、前記ログイン認証制御手段１６２により正常な認証が行われた場合、前記ＳＮＳデータベース１０８が参照され、受信されたユーザＩＤに対応する利用者が用いているカラオケ装置１６の装置ＩＤが取得される。そして、斯かるユーザＩＤに対応付けられて前記ＳＮＳデータベース１０８に記憶されたパスワードが、前記携帯電話機３０から受信されたパスワードと一致した場合、その携帯電話機３０と取得された装置ＩＤに対応するカラオケ装置１６とを対応付ける処理が行われ、その対応付け情報が前記サーバ装置３６へ送信される。すなわち、前記携帯電話機３０とカラオケ装置１６との対応付けにおける実質的な処理は前記サーバ装置１８側で行われるものであっても構わない。また、前記対応付け処理は、前記携帯電話機３０による選曲入力機能の使用開始時に実行されるものであってもよいが、その携帯電話機３０から所定の楽曲の選曲入力が前記カラオケ装置１６に対して行われた時点で実行されるものであってもよい。
【００４７】
前記選曲入力制御手段１５４は、前記カラオケ装置１６に対して所定の楽曲の選曲入力を行う。すなわち、前記のような対応付け処理により前記携帯電話機３０と対応付けられたカラオケ装置１６に対して、前記タッチパネルディスプレイ１３４による入力操作に応じて所定の楽曲の選曲入力情報の送信を行う。具体的には、少なくとも選曲入力の対象となる楽曲の選曲番号を送信する。好適には、選曲入力の対象となる楽曲の選曲番号及び選曲主体である利用者のユーザＩＤを送信する。本実施例において、前記携帯電話機３０からの前記カラオケ装置１６に対する選曲入力情報の送信は、例えばセキュリティ保護のために前記サーバ装置３６を経由して行われる。すなわち、前記選曲入力制御手段１５４から前記カラオケ装置１６に対して送信された選曲入力情報は、前記通信回線２０を介して一旦前記サーバ装置３６により受信される。そして、そのサーバ装置３６における前記選曲入力制御手段１５６により、対象となるカラオケ装置１６すなわち前記対応付け処理により前記携帯電話機３０と対応付けられたカラオケ装置１６に対してその選曲入力情報が送信され、対象となるカラオケ装置１６における予約曲テーブルに選曲入力情報に係る楽曲の登録（選曲予約）が行われる。
【００４８】
前記利用者特定手段１５８は、前記ＳＮＳデータベース１０８に記憶された関係から、携帯型端末装置である前記携帯電話機３０のデジタルカメラ１４４により撮影された撮像データに含まれる画像に基づいて、その撮像データに対応する利用者を特定する。好適には、前記携帯電話機３０のデジタルカメラ１４４により撮影された撮像データに含まれる顔画像に基づいて、その撮像データに対応する利用者を特定する。具体的には、前記デジタルカメラ１４４により撮影された撮像データに関して、よく知られた顔認識技術によりその撮像データに含まれる人物の顔画像が認識される。そして、その顔画像が前記ＳＮＳデータベース１０８に記憶された各利用者の顔画像と比較され、一致する顔画像が存在する場合には、その顔画像に対応する利用者が前記撮像データに対応する利用者として特定される。また、各利用者の所有に係るアクセサリ等の画像がその利用者に対応付けられて前記ＳＮＳデータベース１０８に記憶されている態様においては、前記利用者特定手段１５８は、前記ＳＮＳデータベース１０８に記憶された関係から、前記デジタルカメラ１４４により撮影された撮像データに含まれるアクセサリ等の画像に基づいて、その撮像データに対応する利用者を特定する。
【００４９】
前記ログイン認証制御手段１６２は、好適には、前記利用者特定手段１５８による特定結果を用いて前記ログイン認証制御を行うものであってもよい。例えば、前記利用者特定手段１５８により前記ＳＮＳデータベース１０８の記憶内容の照会が行われ、前記デジタルカメラ１４４により撮影された撮像データに対応する利用者が特定された場合、その利用者のＳＮＳへのログインを許可する。また、斯かるログイン認証が正常に行われた場合、そのログイン認証に係る利用者に対応して前記ＳＮＳデータベース１０８に記憶された各種情報（例えば、利用者の名前、性別、選曲履歴においてよく歌われている楽曲等）が取得され、前記タッチパネルディスプレイ１３４に表示されるものであってもよい。
【００５０】
図５に示すように、前記利用者特定手段１５８は、歌唱者特定手段１６０を含んでいる。この歌唱者特定手段１６０は、前記ＳＮＳデータベース１０８に記憶された関係から、携帯型端末装置である前記携帯電話機３０のデジタルカメラ１４４により撮影された撮像データに含まれる画像に基づいて、その撮像データに対応する歌唱者を特定する。好適には、前記携帯電話機３０のデジタルカメラ１４４により撮影された撮像データに含まれる顔画像に基づいて、その撮像データに対応する歌唱者を特定する。具体的には、前記デジタルカメラ１４４により撮影された撮像データに関して、よく知られた顔認識技術によりその撮像データに含まれる人物の顔画像が認識される。そして、その顔画像が前記ＳＮＳデータベース１０８に記憶された各利用者の顔画像と比較され、一致する顔画像が存在する場合には、その顔画像に対応する利用者が前記撮像データに対応する歌唱者として特定される。また、各利用者の所有に係るアクセサリ等の画像がその利用者に対応付けられて前記ＳＮＳデータベース１０８に記憶されている態様においては、前記利用者特定手段１５８は、前記ＳＮＳデータベース１０８に記憶された関係から、前記デジタルカメラ１４４により撮影された撮像データに含まれるアクセサリ等の画像に基づいて、その撮像データに対応する歌唱者を特定する。
【００５１】
前記歌唱者特定手段１６０は、好適には、前記デジタルカメラ１４４により撮影された撮像データに複数の人物の顔画像が含まれる場合には、その撮像データに含まれる前記マイクロフォン７６に相当する画像に基づいてその撮像データに対応する歌唱者を特定する。具体的には、前記デジタルカメラ１４４により撮影された撮像データに関して、よく知られた画像認識技術によりその撮像データに含まれる前記マイクロフォン７６に相当する画像が認識される。そして、その撮像データに含まれる複数の顔画像のうち、認識された前記マイクロフォン７６に相当する画像に最も近い顔画像が前記ＳＮＳデータベース１０８に記憶された各利用者の顔画像と比較され、一致する顔画像が存在する場合には、その顔画像に対応する利用者が前記撮像データに対応する歌唱者として特定される。
【００５２】
前記楽曲特定手段１６４、１７０は、携帯型端末装置である前記携帯電話機３０の前記デジタルカメラ１４４による撮像データの撮影時点において、前記カラオケ装置１６により演奏出力が行われていた楽曲を特定する。換言すれば、前記デジタルカメラ１４４により撮影された撮像データが、前記カラオケ装置１６において演奏出力可能な多数の楽曲のうちどの楽曲のカラオケ演奏を行っている様子を撮影したものか特定する制御を行う。ここで、前記楽曲特定手段１６４は、前記携帯電話機３０による前記撮像データの前記ＳＮＳデータベース１０８へのアップロードに際して、その携帯電話機３０のＣＰＵ１１０により前記楽曲の特定を行う態様において動作するものであり、斯かる態様において、前記楽曲特定手段１７０は必ずしも設けられなくともよい。また、前記楽曲特定手段１７０は、前記携帯電話機３０による前記撮像データの前記ＳＮＳデータベース１０８へのアップロード後に、前記サーバ装置１８のＣＰＵ９０により前記楽曲の特定を行う態様において動作するものであり、斯かる態様において、前記楽曲特定手段１６４は必ずしも設けられなくともよい。
【００５３】
前記楽曲特定手段１６４は、好適には、前記携帯電話機３０の前記デジタルカメラ１４４による対象となる撮像データの撮影前に、その携帯電話機３０（選曲入力制御手段１５４）により前記カラオケ装置１６に対して選曲入力された楽曲を、前記対象となる撮像データの撮影時点において前記カラオケ装置１６により演奏出力が行われていた楽曲として特定する。すなわち、前記携帯電話機３０の前記デジタルカメラ１４４による撮像データの撮影時点より前（例えば、その時点を遡ること所定時間内）に、その携帯電話機３０から前記サーバ装置３６（選曲入力制御手段１５６）を介して前記カラオケ装置１６に対して選曲入力された楽曲が照会され、前記携帯電話機３０から選曲入力された楽曲が存在する場合には、その楽曲を対象となる撮像データの撮影時点において前記カラオケ装置１６により演奏出力が行われていた楽曲として特定する。また、前記携帯電話機３０から前記カラオケ装置１６に対して選曲入力された楽曲が複数存在する場合、好適には、後述する図８に示すように、それらの楽曲を前記タッチパネルディスプレイ１３４に選択入力可能に表示させ、利用者の入力操作により選択された楽曲を対象となる撮像データの撮影時点において前記カラオケ装置１６により演奏出力が行われていた楽曲として特定する。
【００５４】
また、前記楽曲特定手段１６４は、好適には、前記カラオケ装置１６に対して選曲入力された複数の楽曲から、前記歌唱者特定手段１６０により特定された歌唱者を選曲入力主体とする楽曲を、前記カラオケ装置１６により演奏出力が行われていた楽曲として特定する。すなわち、前記カラオケ装置１６に対して選曲入力された複数の楽曲すなわち前記ＲＡＭ４６の予約曲テーブルに記憶された複数の予約曲から、前記歌唱者特定手段１６０により特定された歌唱者を選曲入力主体とする楽曲（予約曲）を検索し、その歌唱者を選曲入力主体とする楽曲が存在する場合には、その楽曲を対象となる撮像データの撮影時点において前記カラオケ装置１６により演奏出力が行われていた楽曲として特定する。また、前記歌唱者特定手段１６０により特定された歌唱者を選曲入力主体とする複数の楽曲が検索された場合、好適には、後述する図８に示すように、それらの楽曲を前記タッチパネルディスプレイ１３４に選択入力可能に表示させ、利用者の入力操作により選択された楽曲を対象となる撮像データの撮影時点において前記カラオケ装置１６により演奏出力が行われていた楽曲として特定する。
【００５５】
図６は、携帯型端末装置である前記携帯電話機３０の前記デジタルカメラ１４４により撮影される撮像データ１７２（撮像データ１７２に対応する動画の１コマ）の一例を示す図であり、その撮像データ１７２が前記タッチパネルディスプレイ１３４に表示された様子を示している。この撮像データ１７２に関して前記楽曲特定手段１６４による楽曲の特定制御が行われ、候補となる楽曲が１曲に定まる場合には、図７に示すように、その楽曲の曲名（及び好適には歌手名）と共に楽曲確定ボタン１７４及び楽曲否定ボタン１７６が前記タッチパネルディスプレイ１３４に表示される。この図７に示す画面において、前記楽曲確定ボタン１７４（タッチパネル１４０における楽曲確定ボタン１７４に対応する相対位置）に対する利用者の指や備え付けのペン等による接触操作（以下、接触入力操作という）が行われた場合、その画面に表示された楽曲が前記カラオケ装置１６により演奏出力が行われていた楽曲として特定される。また、図７に示す画面において、前記楽曲否定ボタン１７６に対する接触入力操作が行われた場合、その画面に表示された楽曲は前記カラオケ装置１６により演奏出力が行われていた楽曲として特定されず、前記楽曲特定手段１６４による楽曲の特定制御が再開される。また、候補となる楽曲が１曲に定まらず、複数の楽曲が前記カラオケ装置１６により演奏出力が行われていた楽曲の候補として存在する場合には、図８に示すように、候補となる複数（図８に示す例では２曲）の楽曲それぞれの曲名（及び好適には歌手名）と共に楽曲選択ボタン１７８ａ、１７８ｂ（以下、特に区別しない場合には単に楽曲選択ボタン１７８という）が前記タッチパネルディスプレイ１３４に表示される。この図８に示す画面において、何れかの楽曲選択ボタン１７８に対する接触入力操作が行われた場合、その接触入力操作に係る楽曲選択ボタン１７８に対応する楽曲が前記カラオケ装置１６により演奏出力が行われていた楽曲として特定される。
【００５６】
前記楽曲特定手段１７０は、携帯型端末装置である前記携帯電話機３０等から前記ＳＮＳデータベース１０８へ投稿（アップロード）された動画データ（撮像データ）に対応する楽曲を特定する。好適には、前記携帯電話機３０等から前記ＳＮＳデータベース１０８へ動画データが投稿された際、その動画データの投稿者である利用者に対応付けられて記憶された前記カラオケ装置１６の選曲履歴を照会し、その選曲履歴に基づいて前記動画データに対応する楽曲を特定する。例えば、対象となる動画データの撮影日時（データの作成日時）と、前記選曲履歴における各楽曲の選曲日時とが比較され、例えばその撮影日時の直前に選曲された楽曲を、前記カラオケ装置１６により演奏出力が行われていた楽曲として特定する。また、前記ＳＮＳデータベース１０８に記憶される選曲履歴が、前記カラオケ装置１６において各楽曲が実際に演奏されていた日時を記憶するものである場合には、対象となる動画データの撮影日時において演奏されていた楽曲を前記カラオケ装置１６により演奏出力が行われていた楽曲として特定する。
【００５７】
前記撮像記憶手段１６６は、携帯型端末装置である前記携帯電話機３０のデジタルカメラ１４４により撮影された前記撮像データを、前記楽曲特定手段１６４により特定された楽曲と対応付けて前記サーバ装置１８のＳＮＳデータベース１０８に記憶させる。好適には、前記デジタルカメラ１４４により撮影された前記撮像データを、前記歌唱者特定手段１６０により特定された歌唱者及び前記楽曲特定手段１６４により特定された楽曲と対応付けて前記ＳＮＳデータベース１０８に記憶させる。具体的には、前記デジタルカメラ１４４による撮像データの撮影終了後、前記タッチパネルディスプレイ１３４等によりその撮像データを前記ＳＮＳデータベース１０８に投稿する操作が行われた場合には、前記通信回線２０を介してその撮像データが前記サーバ装置１８へアップロードされ、歌唱者のユーザＩＤ及び特定された楽曲の選曲番号と対応付けられて前記ＳＮＳデータベース１０８に記憶される。
【００５８】
前記携帯電話機３０等から前記ＳＮＳデータベース１０８へ動画データが投稿された際、前記楽曲特定手段１７０によりその動画データに対応する楽曲の特定を行う態様においては、前記撮像記憶手段１６６に対応する機能が前記サーバ装置１８のＣＰＵ９０に備えられる。斯かる態様において、前記撮像記憶手段１６６は、前記携帯電話機３０等からアップロードされた動画データを、投稿者のユーザＩＤ及び前記楽曲特定手段１７０により特定された楽曲と対応付けて前記ＳＮＳデータベース１０８に記憶させる。すなわち、斯かる態様において、前記撮像記憶手段１６６は、前記ＳＮＳデータベース１０８に記憶された動画データと、歌唱者のユーザＩＤ及び特定された楽曲の選曲番号との対応付け処理を行う。
【００５９】
前記撮像記憶手段１６６は、好適には、携帯型端末装置である前記携帯電話機３０のデジタルカメラ１４４により撮影された前記撮像データに複数の人物の顔画像が含まれる場合には、前記利用者特定手段１５８によりその撮像データに含まれる全ての顔画像に相当する利用者を特定してその識別情報を取得し、前記撮像データを、取得された全ての利用者の識別情報及び前記楽曲特定手段１６４により特定された楽曲と対応付けて前記サーバ装置１８（ＳＮＳデータベース１０８）に記憶させる。換言すれば、前記デジタルカメラ１４４により撮影された撮像データを、その撮像データに含まれる顔画像にそれぞれ対応する全ての利用者の識別情報及び前記楽曲特定手段１６４により特定された楽曲と対応付けて前記ＳＮＳデータベース１０８に記憶させる。例えば、図９に示すように、前記デジタルカメラ１４４により撮影された撮像データ１８０（撮像データ１８０に対応する動画の１コマ）に複数の人物の顔画像１８２ａ、１８２ｂ、１８２ｃ（以下、特に区別しない場合には単に顔画像１８２という）が含まれ、前記利用者特定手段１５８によりその撮像データ１８０に含まれる全ての顔画像１８２に相当する利用者が特定された場合、その撮像データ１８０を、特定された全ての利用者の識別情報及び前記楽曲特定手段１６４により特定された楽曲と対応付けて前記ＳＮＳデータベース１０８に記憶させる。斯かる処理により、前記携帯電話機３０から投稿される前記撮像データ１８０の投稿者は、その撮像データ１８０に含まれる顔画像１８２にそれぞれ対応する全ての利用者となる。換言すれば、前記携帯電話機３０から投稿される前記撮像データ１８０は、その撮像データ１８０に含まれる顔画像１８２にそれぞれ対応する全ての利用者にそれぞれ対応付けられて、各利用者の投稿動画として前記ＳＮＳデータベース１０８に記憶される。
【００６０】
前記撮像リスト表示手段１６８は、前記楽曲特定手段１６４により特定された楽曲と同じ楽曲に対応付けられて前記サーバ装置１８に記憶された動画データ（撮像データ）を前記タッチパネルディスプレイ１３４に選択可能に表示させる。好適には、前記楽曲特定手段１６４により特定された楽曲と同じ楽曲に対応付けられて前記サーバ装置１８に記憶された動画データを、前記共演動画の組み合わせ候補として前記タッチパネルディスプレイ１３４に選択可能に表示させる。すなわち、前記デジタルカメラ１４４による撮像データの撮影中に、前記楽曲特定手段１６４により前記カラオケ装置１６において演奏出力が行われている楽曲が特定された場合には、前記ＳＮＳデータベース１０８において同一の楽曲に対応付けられて記憶された動画データの検索が行われる。この検索に関して、好適には、各動画データの閲覧回数や、各動画データの投稿者と前記撮像データの撮影主体である利用者とのフレンド設定の有無に応じて検索の優先度が定められる。そして、前記同一の楽曲に対応付けられて記憶された動画データが検索された場合、図１０に示すように、検索された複数（図１０に示す例では３つ）の動画データそれぞれのサムネイル１８４ａ、１８４ｂ、１８４ｃ（以下、特に区別しない場合には単にサムネイル１８４という）が、撮影中の撮像データ１７２と併行して前記携帯電話機３０のタッチパネルディスプレイ１３４に表示される。そのようにして前記タッチパネルディスプレイ１３４に表示されたサムネイル１８４の何れかに対する接触入力操作が行われた場合、その接触入力操作に係るサムネイル１８４に対応する動画データと、前記デジタルカメラ１４４により撮影されている撮像データ１７２とが、前記共演動画として組み合わされる共演動画設定が行われる。すなわち、前記デジタルカメラ１４４により撮影された撮像データが前記ＳＮＳデータベース１０８に投稿された際、前記接触入力操作に係るサムネイル１８４に対応する動画データとの組み合わせで前記共演動画としての設定がなされる。
【００６１】
図１１は、前記動画配信制御手段１５２により配信される共演動画１８８の一例を示す図である。この図１１に示す共演動画１８８は、前記デジタルカメラ１４４により撮影された撮像データ１７２と、その撮像データ１７２に対応する楽曲と同一の楽曲に対応付けられて前記ＳＮＳデータベース１０８に記憶された動画データ１８６とが組み合わされた共演動画１８８である。この図１１に示すように、前記動画配信制御手段１５２は、前記ＳＮＳデータベース１０８に記憶された複数の動画データであって、相互に共演動画として設定された動画データ１７２、１８６を、共演動画１８８として前記通信回線２０を介して配信する。すなわち、配信要求の要求元である通信端末装置において、それら複数の動画データ１７２、１８６を共演動画１８８として同期（併行）して出力させる。斯かる制御により、前記携帯電話機３０のデジタルカメラ１４４により撮影された撮像データ１７２を、前記ＳＮＳデータベース１０８に記憶された動画データとの共演動画の組み合わせの対象とすることができる。
【００６２】
図１２は、前記携帯電話機３０のＣＰＵ１１０による撮像データ記憶制御の一例の要部を説明するフローチャートであり、所定の周期で繰り返し実行されるものである。
【００６３】
先ず、ステップ（以下、ステップを省略する）Ｓ１において、前記デジタルカメラ１４４により撮像データの撮影が行われているか否かが判断される。このＳ１の判断が否定される場合には、それをもって本ルーチンが終了させられるが、Ｓ１の判断が肯定される場合には、Ｓ２において、よく知られた顔認識技術により前記デジタルカメラ１４４により撮影された撮像データに含まれる人物の顔画像が認識される。次に、Ｓ３において、Ｓ２にて認識された顔画像が前記ＳＮＳデータベース１０８に記憶された各利用者の顔画像と比較され、一致する顔画像が存在するか否かが判断される。このＳ３の判断が否定される場合には、それをもって本ルーチンが終了させられるが、Ｓ３の判断が肯定される場合には、Ｓ４以下の処理が実行される。
【００６４】
Ｓ４においては、前記ＳＮＳデータベース１０８に記憶された顔画像がＳ２にて認識された顔画像と一致する利用者が、前記デジタルカメラ１４４により撮影された撮像データに対応する歌唱者として特定される。また、前記撮像データに複数の顔画像が含まれる場合には、各顔画像に対応する利用者が特定される。また、斯かる利用者の前記ＳＮＳにおけるログイン認証が行われていない場合には、前記デジタルカメラ１４４により撮影された撮像データに対応する利用者のログイン認証が行われる。次に、Ｓ５において、前記カラオケ装置１６に対して選曲入力された複数の楽曲すなわち前記ＲＡＭ４６の予約曲テーブルに記憶された複数の予約曲のうち、Ｓ４にて特定された歌唱者を選曲主体とする予約曲が存在するか否かが判断される。このＳ５の判断が否定される場合には、それをもって本ルーチンが終了させられるが、Ｓ５の判断が肯定される場合には、Ｓ６において、Ｓ４にて特定された歌唱者を選曲主体とする予約曲は１曲であるか否かが判断される。このＳ６の判断が肯定される場合には、Ｓ８以下の処理が実行されるが、Ｓ６の判断が否定される場合には、Ｓ７において、Ｓ４にて特定された歌唱者を選曲主体とする予約曲のうち何れかの楽曲が選択されたか否か、例えば前記タッチパネルディスプレイ１３４に前述した図８に示すような楽曲選択ボタン１７８を含む画面が表示され、何れかの楽曲選択ボタン１７８に対する接触入力操作が行われたか否かが判断される。このＳ７の判断が否定される場合には、それをもって本ルーチンが終了させられるが、Ｓ７の判断が肯定される場合には、Ｓ８以下の処理が実行される。
【００６５】
Ｓ８においては、Ｓ４にて特定された歌唱者を選曲主体とする予約曲或いはその予約曲のうちＳ７にて選択された楽曲が、前記デジタルカメラ１４４により撮影された撮像データに対応する楽曲として特定される。次に、Ｓ９において、前記デジタルカメラ１４４により撮像データの撮影が終了させられるか否か（或いは、撮影されている楽曲が終了したか否か）が判断される。このＳ９の判断が否定されるうちは、Ｓ９の判断が繰り返されることにより待機させられるが、Ｓ９の判断が肯定される場合には、Ｓ１０において、前記デジタルカメラ１４４による撮影が制御され、そのデジタルカメラ１４４により撮影された撮像データが、前記通信回線２０を介して前記サーバ装置１８へアップロードされ、Ｓ４にて特定された歌唱者、Ｓ８にて特定された楽曲、及びＳ４にて複数の利用者が特定された場合には全ての利用者と対応付けられて前記ＳＮＳデータベース１０８に記憶された後、本ルーチンが終了させられる。
【００６６】
図１３は、前記携帯電話機３０のＣＰＵ１１０による共演動画設定制御の一例の要部を説明するフローチャートであり、所定の周期で繰り返し実行されるものである。この図１３に示す制御において、前述した図１２に示す制御と共通するステップについては同一の符号を付してその説明を省略する。
【００６７】
図１３に示す制御では、前述したＳ８の処理に続くＳ１１において、前記ＳＮＳデータベース１０８においてＳ８にて特定された楽曲と同一の楽曲に対応付けられて記憶された動画データの検索が行われ、検索された動画データそれぞれのサムネイル１８４が前記携帯電話機３０のタッチパネルディスプレイ１３４に表示される。次に、Ｓ１２において、前記タッチパネルディスプレイ１３４に表示された何れかのサムネイル１８４に対する接触入力操作が行われたか否かが判断される。このＳ１２の判断が否定されるうちは、Ｓ１２の判断が繰り返されることにより待機させられるが、Ｓ１２の判断が肯定される場合には、Ｓ１３において、接触入力操作に係るサムネイル１８４に対応する動画データと、前記デジタルカメラ１４４により撮影された撮像データとが、前記共演動画として組み合わされる共演動画設定が行われた後、本ルーチンが終了させられる。
【００６８】
以上の制御において、Ｓ２〜Ｓ４が前記利用者特定手段１５８、歌唱者特定手段１６０、及びログイン認証制御手段１６２の動作に、Ｓ５〜Ｓ８が前記楽曲特定手段１６４の動作に、Ｓ１０が前記撮像記憶手段１６６の動作に、Ｓ１１が前記撮像リスト表示手段１６８の動作に、それぞれ対応する。
【００６９】
このように、本実施例によれば、携帯型端末装置である前記携帯電話機３０の撮像装置としての前記デジタルカメラ１４４による撮像データの撮影時点において、前記カラオケ装置１６により演奏出力が行われていた楽曲を特定する楽曲特定手段１６４（Ｓ５〜Ｓ８）乃至１７０と、前記携帯電話機３０のデジタルカメラ１４４により撮影された前記撮像データを、前記楽曲特定手段１６４、１７０により特定された楽曲と対応付けて前記サーバ装置１６に記憶させる撮像記憶手段１６６（Ｓ１０）とを、備えたものであることから、前記携帯電話機３０により撮影された撮像データに関して、どの楽曲のカラオケ演奏を行っている様子を撮影したものか特定でき、特定された楽曲とその撮像データとを対応付けて記憶させることで、その撮像データを同一の楽曲に対応する他の動画と組み合わせるといった処理を行うことが可能となる。すなわち、利用者がカラオケ演奏を行う様子を携帯電話機３０で撮影した撮像データの利便性を向上させるカラオケシステム１０を提供することができる。
【００７０】
また、前記カラオケ装置１６の利用者に対応する画像と、その利用者の識別情報とを対応付けて記憶する顧客データベースとしての前記ＳＮＳデータベース１０８、そのＳＮＳデータベース１０８に記憶された関係から、前記携帯電話機３０のデジタルカメラ１４４により撮影された前記撮像データに含まれる画像に基づいて、その撮像データに対応する歌唱者を特定する歌唱者特定手段１６０（Ｓ２〜Ｓ４）とを、備え、前記楽曲特定手段１６４は、前記カラオケ装置１６に対して選曲入力された複数の楽曲から、前記歌唱者特定手段１６０により特定された歌唱者を選曲入力主体とする楽曲を、前記カラオケ装置１６により演奏出力が行われていた楽曲として特定するものであり、前記撮像記憶手段１６６は、前記携帯電話機３０のデジタルカメラ１４４により撮影された前記撮像データを、前記歌唱者特定手段１６０により特定された歌唱者及び前記楽曲特定手段１６４により特定された楽曲と対応付けて前記サーバ装置１８に記憶させるものであるため、前記携帯電話機３０により撮影された撮像データに関して、どの楽曲のカラオケ演奏を行っている様子を撮影したものか実用的な態様で特定でき、特定された楽曲及び歌唱者とその撮像データとを対応付けて記憶させることで、その撮像データの利便性を更に向上させることができる。
【００７１】
また、前記携帯電話機３０は、前記楽曲特定手段１６４により特定された楽曲と同じ楽曲に対応付けられて前記サーバ装置１８のＳＮＳデータベース１０８に記憶された撮像データを選択可能に表示させる撮像リスト表示手段１６８（Ｓ１１）を備えたものであるため、前記携帯電話機３０により撮影された撮像データを、その撮像データに対応する楽曲と同一の楽曲に対応する他の動画と組み合わせるといった処理を好適且つ実用的な態様で実行することができる。
【００７２】
また、前記ＳＮＳデータベース１０８は、前記カラオケ装置１６の利用者に対応する顔画像と、その利用者の識別情報とを対応付けて記憶するものであり、前記歌唱者特定手段１６０は、前記ＳＮＳデータベース１０８に記憶された関係から、前記携帯電話機３０のデジタルカメラ１４４により撮影された前記撮像データに含まれる人物の顔画像に基づいて、その撮像データに対応する歌唱者を特定するものであるため、前記携帯電話機３０により撮影された撮像データに関して、その撮像データに対応する歌唱者及びどの楽曲のカラオケ演奏を行っている様子を撮影したものかを好適且つ実用的な態様で特定できる。
【００７３】
また、前記歌唱者特定手段１６０は、前記撮像データに複数の人物の顔画像が含まれる場合には、その撮像データに含まれるマイクロフォンに相当する画像に基づいてその撮像データに対応する歌唱者を特定するものであるため、前記携帯電話機３０により撮影された撮像データに関して、その撮像データに対応する歌唱者を好適且つ実用的な態様で特定できる。
【００７４】
また、前記撮像記憶手段１６６は、前記撮像データに複数の人物の顔画像が含まれる場合には、前記ＳＮＳデータベース１０８に記憶された関係から、前記撮像データに含まれる人物の顔画像に基づいてその撮像データに含まれる全ての人物の識別情報を取得し、その撮像データを、取得された全ての人物の識別情報及び前記楽曲特定手段１６４により特定された楽曲と対応付けて前記サーバ装置１６に記憶させるものであるため、前記携帯電話機３０により撮影された撮像データに関して、その撮像データに対応するカラオケ演奏を行っていた利用者全員と関連付けて記憶させることで、その撮像データの利便性を更に向上させることができる。
【００７５】
以上、本発明の好適な実施例を図面に基づいて詳細に説明したが、本発明はこれに限定されるものではなく、更に別の態様においても実施される。
【００７６】
例えば、前述の実施例においては、前記楽曲特定手段１６４により特定された楽曲と同じ楽曲に対応付けられて前記ＳＮＳデータベース１０８に記憶された撮像データを、前記共演動画の組み合わせ候補として前記タッチパネルディスプレイ１３４に選択可能に表示させるものであったが、本発明はこれに限定されるものではなく、更に別の態様においても実施される。例えば、前記楽曲特定手段１６４により特定された楽曲と同じ楽曲に対応する動画データが前記ＳＮＳデータベース１０８に記憶された利用者を検索し、検索された利用者を前記ＳＮＳに係るフレンド登録の候補として前記タッチパネルディスプレイ１３４に選択可能に表示させたり、前記楽曲特定手段１６４により特定された楽曲に対応する歌手の楽曲を前記タッチパネルディスプレイ１３４に選曲入力可能に表示させたりというように、前記楽曲特定手段１６４により特定された楽曲に基づいて種々の制御を行うことが考えられる。
【００７７】
また、前述の実施例では、前記携帯電話機３０のデジタルカメラ１４４により撮影された撮像データと、前記ＳＮＳデータベース１０８に記憶された動画データとを、前記共演動画として組み合わせる設定を行う制御について説明したが、他の携帯電話機により撮影されている撮像データとの間で対応する楽曲のつきあわせを行い、同一の楽曲に対応する撮影を行っている携帯電話機からリアルタイムで送信される動画データ（同一の楽曲に対応するもの）と、前記携帯電話機３０のデジタルカメラ１４４により撮影された撮像データとを、前述した図１１に示すように組み合わせて表示させる態様も考えられる。また、前記携帯電話機３０によりリアルタイムで撮影されている動画データと、予め前記ＳＮＳデータベース１０８に記録（録画）された動画データとを共演動画として組み合わせるものであってもよいが、斯かる態様においては、共演に係る動画データのタイミングを合わせることが必要になるため、前記楽曲特定手段１６４により特定された楽曲の再生経過時間及びスピードコントロール情報（楽曲の速さ）、キーの高さ等を、前記予め記録された動画データに設定することが望ましい。或いは、演奏中の楽曲と、曲の速さやキーの高さが同一の記録済み動画データを検索し、検索された動画データを共演動画候補としてサムネイル表示させると共に、楽曲の再生経過時間を前記記録済み動画データに設定する等の態様も考えられる。また、前記共演動画の設定は、必ずしも対応する楽曲を通して演奏開始から演奏終了まで所定の組み合わせの動画データを共演動画とするものでなくともよい。例えば、各動画データに予め区分情報（例えば所定時間毎等、動画データを複数の区分に区切る情報）が記憶された態様においては、その区分情報に基づいて所定の区分のみを前記共演動画として他の動画データと同期出力される設定としたり、各区分毎にそれぞれ異なる動画データとの共演動画設定を行う等の制御を行うものであってもよい。
【００７８】
また、前述の実施例において、前記携帯電話機３０に備えられた選曲入力制御手段１５４は、前記サーバ装置３６を経由し前記通信回線２０を介して前記カラオケ装置１６に対する選曲入力を行うものであったが、例えば前記通信回線２０を介することなく（すなわちサーバ装置３６を経由することなく）、赤外線通信や近距離無線通信等により前記カラオケ装置１６に対する選曲入力を行うものであってもよい。
【００７９】
また、前述の実施例においては、前記カラオケシステム１０における携帯型端末装置として、所謂スマートフォンとしての携帯電話機３０及びタブレット３２を備えた構成を例示したが、携帯型端末装置としては他の機器も考えられ、例えば、通信機能を備えたデジタルビデオカメラ、コンシューマゲーム機、或いは通信機能及びタッチパネルディスプレイを備えた携帯型音楽プレイヤ等を携帯型端末装置として備えたものであってもよい。
【００８０】
その他、一々例示はしないが、本発明はその趣旨を逸脱しない範囲内において種々の変更が加えられて実施されるものである。
【符号の説明】
【００８１】
１０：カラオケシステム、１６：カラオケ装置、１８：サーバ装置、２０：通信回線、３０：携帯電話機（携帯型端末装置）、３２：タブレット（携帯型端末装置）、１０８：ＳＮＳデータベース（顧客データベース）、１４４：デジタルカメラ（撮像装置）、１６０：歌唱者特定手段、１６４：楽曲特定手段、１６６：撮像記憶手段、１６８：撮像リスト表示手段、１７０：楽曲特定手段、１７２、１８０：撮像データ、１８２：顔画像
【図１】
2014085644.tif 000003
【図２】
2014085644.tif 000004
【図３】
2014085644.tif 000005
【図４】
2014085644.tif 000006
【図５】
2014085644.tif 000007
【図６】
2014085644.tif 000008
【図９】
2014085644.tif 000009
【図１０】
2014085644.tif 000010
【図１１】
2014085644.tif 000011
【図１２】
2014085644.tif 000012
【図１３】
2014085644.tif 000013
【図７】
2014085644.tif 000014
【図８】
2014085644.tif 000015